(57)【要約】【課題】利便性の高い施設又は施設設置候補地点の選定を容易にする抽出プログラムの提供。【解決手段】第一の利用者に指定された地点を含む所定の範囲において、既存及び／又は新設予定の施設の位置情報を含む施設情報に基づき、既存及び／又は新設予定の前記施設を抽出すると共に、車両の速度、位置及び時刻の情報を含む走行情報に基づいて生成した前記施設の周辺の交通道路環境情報を併せて抽出する第一の抽出処理と、第二の利用者に指定された地点を含む所定の範囲において、前記第一の抽出処理で前記施設が存在しないと判定した前記所定の範囲の、前記第一の利用者に前記指定された地点を施設設置候補地点として抽出すると共に、前記走行情報に基づいて生成した前記施設設置候補地点の周辺の前記交通道路環境情報を併せて抽出する第二の抽出処理と、をコンピュータに実行させることを特徴とする抽出プログラムである。【選択図】図２３
2018142141.tif 000002
【特許請求の範囲】
【請求項１】
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲の、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、
をコンピュータに実行させることを特徴とする抽出プログラム。
【請求項２】
前記交通道路環境情報が、前記車両の平均速度情報、前記車両の通行量情報、前記車両の等時間移動圏情報、及び、前記施設又は前記施設設置候補地点から所定のランドマーク地点までの所要時間のうち少なくともいずれかを含む請求項１に記載の抽出プログラム。
【請求項３】
前記平均速度情報、前記通行量情報、前記等時間移動圏情報、及び、前記所定のランドマーク地点までの所要時間のうち少なくともいずれかが、曜日別、日別、時間帯別、及び上下車線別の少なくともいずれかに分類される請求項２に記載の抽出プログラム。
【請求項４】
前記交通道路環境情報が、道路に関する情報を更に含む請求項１から３のいずれかに記載の抽出プログラム。
【請求項５】
前記道路に関する情報が、道路の平坦性情報、道路のひび割れ情報、道路の路面下の空洞情報、道路に設置された付属物情報、道路の路面下のインフラ設備情報、道路標識情報、及び道路の補修履歴情報の少なくともいずれかである請求項４に記載の抽出プログラム。
【請求項６】
前記第一の抽出処理において、前記第一の利用者により抽出条件を更に指定され、前記指定された地点の位置情報を前記抽出条件の情報と対応付けて格納し、
前記第二の抽出処理において、抽出した前記施設設置候補地点の位置情報及び前記施設設置候補地点の周辺の前記交通道路環境情報と共に、前記第一の利用者により指定された前記抽出条件の情報を抽出する請求項１から５のいずれかに記載の抽出プログラム。
【請求項７】
前記抽出条件が、利用できる業種、前記施設の規模、及び、利用開始時期のうち少なくともいずれかを含む請求項６に記載の抽出プログラム。
【請求項８】
前記所定の範囲を第一の範囲とし、前記第一の範囲における抽出結果を第一の抽出結果とした場合、前記第一の抽出結果において前記施設が存在しないとき、前記第一の範囲を含み、かつ前記第一の範囲よりも広い第二の範囲を設定して、前記第二の範囲において前記施設を抽出する請求項１から７のいずれかに記載の抽出プログラム。
【請求項９】
前記第一の抽出処理において抽出した既存及び／又は新設予定の前記施設、又は前記第二の抽出処理において抽出した前記施設設置候補地点を、地図画像に表示する制御を行う請求項１から８のいずれかに記載の抽出プログラム。
【請求項１０】
前記地図画像において、前記施設設置候補地点を抽出した時期に応じた色彩、模様、図形、記号、及び文字の少なくともいずれかにより表示する制御を行う請求項９に記載の抽出プログラム。
【請求項１１】
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づき、抽出した前記施設の周辺の交通道路環境情報を併せて抽出する第一の抽出工程と、
第二の利用者に指定された地点を含む所定の範囲において、前記第一の抽出工程で前記施設が存在しないと判定した前記所定の範囲で、前記第一の利用者に前記指定された地点を施設設置候補地点として抽出すると共に、
前記走行情報に基づき、生成した前記施設設置候補地点の周辺の前記交通道路環境情報を併せて抽出する第二の抽出工程と、
を含むことを特徴とする抽出方法。
【請求項１２】
車両の速度、位置及び時刻の情報を含む走行情報を取得する取得手段と、
前記取得手段が取得した前記走行情報を情報処理装置に送信する通信手段と、
を有する走行情報取得端末装置と、
第一の利用者に指定された地点を含む所定の範囲において、既存及び／又は新設予定の施設の位置情報を含む施設情報に基づき、既存及び／又は新設予定の前記施設を抽出すると共に、
前記走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲で、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、を行う抽出装置と、
を有することを特徴とする抽出システム。
【請求項１３】
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲で、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、
を行う抽出手段を有することを特徴とする抽出装置。
【請求項１４】
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出して格納する、
処理をコンピュータに実行させることを特徴とする施設情報格納プログラム。
【請求項１５】
第二の利用者に指定された地点を含む所定の範囲において、第一の利用者に指定された地点を含む所定の範囲で既存及び／又は新設予定の施設の位置情報を含む施設情報に基づき、既存及び／又は新設予定の前記施設を抽出した際に前記施設が存在しないと判定した前記所定の範囲の、前記第一の利用者に前記指定された地点を施設設置候補地点として抽出すると共に、
車両の速度、位置及び時刻の情報を含む走行情報に基づいて生成した前記施設設置候補地点の周辺の交通道路環境情報を併せて抽出して格納する、
処理をコンピュータに実行させることを特徴とする施設設置候補地点情報格納プログラム。
【発明の詳細な説明】
【技術分野】
【０００１】
本発明は、抽出プログラム、抽出方法、抽出システム、抽出装置、施設情報格納プログラム、及び施設設置候補地点情報格納プログラムに関する。
【背景技術】
【０００２】
会社の事業所や工場、ショッピングセンター等の商業施設、物流センター等の物流拠点、などを設置あるいは建設する場所については、施設の役割、生産性、需要条件、輸送条件などを考慮に入れながら細心の配慮が必要となる。
【０００３】
近年では、施設を設置する場所を選定するための処理をコンピュータに実行させる方法について様々な提案がされている。例えば、複数の従業員が勤務する会社において、事業所を移転又は新設する場合に、会社にとって適切な最寄り駅候補を提示する方法が提案されている（例えば、特許文献１参照）。
【先行技術文献】
【特許文献】
【０００４】
【特許文献１】特開２０１６−９５７０６号公報
【発明の概要】
【発明が解決しようとする課題】
【０００５】
物流の事業分野において、「物流センター」（「流通センター」、「配送センター」と称されることもある）は、多種大量の商品を供給者から荷受けし、積換え、保管、仕分けなどを行い、多数の注文に応じて品揃えして配送する重要な物流拠点であり、物流効率の観点においても極めて重要である。
【０００６】
しかしながら、物流センターの利用希望者による既存の物流センターの選定、あるいは物流センターの提供希望者による物流センターを設置する用地の選定については、物流センターや物流センターの設置候補地点における周辺の交通量調査などにより利便性の高さを厳密に評価しようとすると、交通量などは様々な要因により変化してしまうため、選定しにくいという問題がある。
【０００７】
一つの側面では、利便性の高い施設又は施設設置候補地点の選定を容易にする抽出プログラムを提供することを目的とする。
【課題を解決するための手段】
【０００８】
一つの実施態様では、抽出プログラムは、第一の利用者に指定された地点を含む所定の範囲において、既存及び／又は新設予定の施設の位置情報を含む施設情報に基づき、既存及び／又は新設予定の前記施設を抽出すると共に、車両の速度、位置及び時刻の情報を含む走行情報に基づいて生成した前記施設の周辺の交通道路環境情報を併せて抽出する第一の抽出処理と、第二の利用者に指定された地点を含む所定の範囲において、前記第一の抽出処理で前記施設が存在しないと判定した前記所定の範囲の、前記第一の利用者に前記指定された地点を施設設置候補地点として抽出すると共に、前記走行情報に基づいて生成した前記施設設置候補地点の周辺の前記交通道路環境情報を併せて抽出する第二の抽出処理と、をコンピュータに実行させる。
【発明の効果】
【０００９】
一つの側面では、利便性の高い施設又は施設設置候補地点の選定を容易にする抽出プログラムを提供することができる。
【図面の簡単な説明】
【００１０】
【図１】図１は、本発明の一実施例に係る抽出装置を含む抽出システムの構成を示す説明図である。
【図２】図２は、既存及び／又は新設予定の物流センターを抽出した結果の地図表示の一例を示す説明図である。
【図３】図３は、既存及び／又は新設予定の物流センターを抽出した結果の表の一例を示す説明図である。
【図４】図４は、交通道路環境情報に含まれる周辺幹線道路の平均速度情報の一例を示す説明図である。
【図５】図５は、交通道路環境情報に含まれる周辺幹線道路の大型車通行量情報の一例を示す説明図である。
【図６】図６は、交通道路環境情報に含まれる等時間移動圏情報の一例を示す説明図である。
【図７】図７は、交通道路環境情報に含まれる、所定のランドマーク地点までの所要時間の一例を示す説明図である。
【図８】図８は、物流センターの設置候補地点を抽出した結果の地図表示の一例を示す説明図である。
【図９】図９は、物流センターの設置候補地点を抽出した結果の表の一例を示す説明図である。
【図１０】図１０は、３年前から２年前までに更新した物流センターの設置候補地点の抽出結果の地図表示の一例を示す説明図である。
【図１１】図１１は、３年前から１年前までに更新した物流センターの設置候補地点の抽出結果の地図表示の一例を示す説明図である。
【図１２】図１２は、３年前から１ヶ月前までに更新した物流センターの施設設置候補地点の抽出結果の地図表示の一例を示す説明図である。
【図１３】図１３は、３年前から現在までに更新した物流センターの施設設置候補地点の抽出結果の地図表示の一例を示す説明図である。
【図１４】図１４は、抽出装置の機能構成の一例を示す説明図である。
【図１５】図１５は、走行情報ＤＢに格納される走行情報の一例を示す説明図である。
【図１６】図１６は、施設情報ＤＢに格納される施設情報の構成の一例を示す説明図である。
【図１７】図１７は、施設情報に含まれる基本情報の一例を示す説明図である。
【図１８】図１８は、施設情報に含まれる契約情報の一例を示す説明図である。
【図１９】図１９は、施設情報に含まれる第一の処理の情報の一例を示す説明図である。
【図２０】図２０は、施設情報に含まれる第二の処理の情報の一例を示す説明図である。
【図２１】図２１は、本発明の一実施例に係る抽出装置のハードウェア構成を示す説明図である。
【図２２】図２２は、物流センターの利用希望者に対して、抽出装置が物流センターを抽出し、画面上に抽出結果を表示する制御を行う流れの一例を示すフローチャートである。
【図２３】図２３は、物流センターの提供希望者に対して、抽出装置が物流センターの施設設置候補地点を抽出し、画面上に抽出結果を表示する制御を行う流れの一例を示すフローチャートである。
【発明を実施するための形態】
【００１１】
以下、本発明の一実施例を説明するが、本発明は、この実施例に何ら限定されるものではない。
なお、本発明の「抽出システム」は、「抽出装置」と、「走行情報取得装置」と、を有する。本発明の「抽出装置」における各手段が行う制御は、本発明の「抽出方法」を実施することと同義であるので、本発明の「抽出装置」の説明を通じて本発明の「抽出方法」の詳細についても明らかにする。また、本発明の「抽出プログラム」は、ハードウェア資源としてのコンピュータ等を用いることにより、本発明の「抽出装置」として実現させることから、本発明の「抽出装置」の説明を通じて本発明の「抽出プログラム」の詳細についても明らかにする。
また、「抽出プログラム」は、後述する第一の抽出処理及び第二の抽出処理に分けることができ、「施設情報格納プログラム」は第一の抽出処理に含まれる施設情報を格納する処理をコンピュータに実行させるものであり、「施設設置候補地点情報格納プログラム」は第二の抽出処理に含まれる施設設置候補地点情報を格納する処理をコンピュータに実行させるものである。
なお、「抽出装置」は「情報処理装置」又は「サーバ装置」と称することもあり、「走行情報取得端末装置」は「車載装置」と称することもある。
【実施例】
【００１２】
図１は、本発明の一実施例に係る抽出装置１００を含む抽出システム１０の構成を示す説明図である。なお、抽出装置１００には抽出プログラムが内蔵されており、抽出装置１００を実施すると抽出方法が実施される。抽出システム１０は、本実施例では、施設として物流センターを対象とする。
抽出システム１０に含まれる抽出装置１００は、第一の利用者に対する第一の抽出処理と、第二の利用者に対する第二の抽出処理と、を行うシステムである。
第一の利用者とは、抽出システム１０を利用する者であり、本実施例では、物流センターの利用を希望する希望者（以下、利用希望者とする）である。
第二の利用者とは、第一の利用者と同様に、抽出システム１０を利用する者であり、本実施例では、物流センターの提供を希望する提供者（以下、提供希望者とする）である。
【００１３】
第一の抽出処理では、抽出システム１０は、物流センターの利用希望者に指定された地点を含む所定の範囲において、既存及び／又は新設予定の物流センターの位置情報を含む施設情報に基づき、既存及び／又は新設予定の物流センターを抽出すると共に、車両の速度、位置及び時刻の情報を含む走行情報に基づいて生成した物流センターの周辺の交通道路環境情報を併せて抽出する。
これにより、物流センターの利用希望者が、物流センターの位置を把握できると共に、複数の物流センターが抽出された場合であっても、各物流センターの周辺の交通道路環境情報を比較できるため、利便性の高い物流センターを選定しやすくなる。
【００１４】
第二の抽出処理では、抽出システム１０は、物流センターの提供希望者に指定された地点を含む所定の範囲において、第一の抽出処理で施設が存在しないと判定した所定の範囲の、物流センターの利用希望者に指定された地点を物流センターの設置候補地点として抽出すると共に、走行情報に基づいて生成した物流センターの設置候補地点の周辺の交通道路環境情報を併せて抽出する。
物流センターの利用希望者に指定された地点とは、物流センターの利用希望者が、物流センターが存在して欲しいと考えた位置であり、第二の抽出処理では、この位置を物流センターの設置候補として挙げられる地点（以下、「設置候補地点」と称することがある）として抽出すると共に、設置候補地点の周辺の交通道路環境情報を併せて抽出する。
これにより、物流センターの提供希望者が、物流センターの設置候補地点の位置を把握できると共に、複数の設置候補地点が抽出された場合であっても、各設置候補地点の周辺の交通道路環境情報を比較できるため、利便性の高い物流センターの設置候補地点を選定しやすくなる。
【００１５】
所定の範囲は、本実施例では、物流センターの利用希望者又は提供希望者により指定された地点（以下、「指定地点」と称することもある）を中心として、物流センターの利用希望者又は提供希望者により入力された所定の範囲の辺長ａ又はｂの値に基づき、矩形状の範囲に設定される。
なお、所定の範囲は、これに限ることなく、物流センターの利用希望者又は提供希望者に指定された地点を含んでいれば特に制限はなく、目的に応じて物流センターの利用希望者又は提供希望者により任意に指定される範囲であってもよく、国、都道府県、市町村などの単位で指定される範囲であってもよい。
【００１６】
また、所定の範囲を第一の範囲とし、第一の範囲における抽出結果を第一の抽出結果とした場合、第一の抽出結果において所望の物流センター又は物流センターの設置候補地点が存在しないとき、物流センターの利用希望者又は提供希望者の指示により、第一の範囲を含み、かつ第一の範囲よりも広い第二の範囲を設定して、第二の範囲において所望の物流センター又は物流センターの設置候補地点を抽出することができる。即ち、所望の物流センター又は物流センターの設置候補地点が存在しないときは範囲を拡張して抽出することができる。
【００１７】
交通道路環境情報は、物流センター周辺の環境における交通及び／又は道路に関わる情報であり、本実施例では、車両の平均速度情報、車両の通行量情報、車両の等時間移動圏情報、及び、所定のランドマーク地点までの所要時間のうち少なくともいずれかを含む。
これにより、物流センターの利用希望者又は提供希望者に対し、物流センター又は物流センターの設置候補地点における詳細な交通道路環境情報を示すことができるため、物流センターの利用希望者又は提供希望者が、利便性の高い物流センター又は物流センターの設置候補地点をより選定しやすくなる。
また、平均速度情報、通行量情報、等時間移動圏情報、及び、所定のランドマーク地点までの所要時間のうち少なくともいずれかが、曜日別、日別、時間帯別、及び上下車線別の少なくともいずれかに分類されるようにしてもよい。
【００１８】
また、交通道路環境情報は、道路に関する情報を更に含むようにしてもよい。
道路に関する情報は、道路の平坦性情報、道路のひび割れ情報、道路の路面下の空洞情報、道路に設置された付属物情報、道路の路面下のインフラ設備情報、道路標識情報、及び道路の補修履歴情報の少なくともいずれかを含むようにしてもよい。
これにより、物流センターの利用希望者又は提供希望者に対し、物流センター又は物流センターの設置候補地点の周辺について、更に詳細な交通道路環境情報を示すことができる。
【００１９】
本実施例では、第一の抽出処理において、物流センターの利用希望者により抽出条件を更に指定され、指定された地点の位置情報を抽出条件の情報と対応付けて格納し、第二の抽出処理において、抽出した物流センターの設置候補地点の位置情報及び物流センターの設置候補地点の周辺の交通道路環境情報と共に、物流センターの利用希望者により指定された抽出条件の項目を抽出する。
抽出条件は、物流センターの利用希望者が物流センターに求める条件であり、本実施例では、物流センターにおいて利用できる業種、物流センターの規模、及び、利用開始時期のうち少なくともいずれかの項目である。
これにより、第二の抽出処理において、抽出した物流センターの設置候補地点では、物流センターの提供希望者に対し、どのような物流センターを提供すればよいのかを明確に示すことができる。
【００２０】
本実施例では、第一の抽出処理において抽出した既存及び／又は新設予定の物流センター、又は第二の抽出処理において抽出した物流センターの設置候補地点を、地図画像に表示する制御を行う。更に、地図画像において、物流センターの設置候補地点を抽出した時期に応じた色彩、模様、図形、記号、及び文字の少なくともいずれかにより表示する制御を行う。
これにより、既存及び／又は新設予定の物流センター、又は物流センターの設置候補地点の位置を、物流センターの利用希望者又は提供希望者が一見して把握することができる。
【００２１】
［第一の抽出処理についての詳細］
ここで、第一の抽出処理についての詳細を、図２〜図７を参照しながら説明する。
まず、第一の抽出処理では、物流センターの利用希望者により、物流センターが存在して欲しいと考えた指定地点α、及び、指定地点αを中心とする矩形状の所定の範囲の辺長ａを入力され、更に抽出条件としての「物流センターの規模、物流センターの利用開始時期」の項目が抽出装置１００に入力される。
【００２２】
次に、抽出装置１００は、図２に示すように、物流センターの利用希望者により指定された所定の範囲（図２中エリアＡ−Ｉ）内において、予め取得した物流センターの位置情報を含む施設情報に基づき、既存及び／又は新設予定の物流センターを抽出すると共に、予め取得した走行情報に基づき、物流センターの周辺の交通道路環境情報を生成して抽出し、画面上に表示する制御を行う。
このとき、所定の範囲において物流センターを抽出しなかった場合には、指定地点αの位置情報は、物流センターの設置候補地点の位置情報として抽出装置１００の記憶手段１２０に格納されると共に、物流センターの設置候補地点の位置情報に対応付けられて設置候補地点の周辺の交通道路環境情報と、抽出条件の情報も格納される。
【００２３】
また、図２中エリアＡ−Ｉ内における抽出結果としては、既存の物流センターが１つ存在したが抽出条件が合致せず、また新設予定の物流センターも１つ存在したが抽出条件が合致しなかったため、抽出結果に対応するマーク（図２中の右側にある凡例に示す）を物流センターの位置情報に基づき、画面上に表示する制御を行う。マークの横の数字は、物流センターの提供者を識別するものである。
【００２４】
これらの抽出結果と、交通道路環境情報とをまとめたものを図３のエリアＡ−Ｉの欄に表示する。図３に示すように、交通道路環境情報は、本実施例では、物流センター周辺の幹線道路（以下、「周辺幹線道路」と称する）の平均速度情報（図３中では「周辺平均速度」）、周辺幹線道路の大型車通行量（図３中では「周辺通行量」）、物流センターから等時間で移動可能な範囲を示す情報である等時間移動圏情報（図３中では「等時間移動圏」）、所定のランドマーク地点までの所要時間（図３中では「ランドマーク所要時間」）の項目を含む。図３中の交通道路環境情報の欄の画像ファイルをクリックなどにより指定すると、図４〜図７に示すような画像が表示される。
「周辺幹線道路の平均速度情報」は、図４に示すように、当該物流センターの周辺における幹線道路の平均速度情報である。
「周辺幹線道路の大型車通行量」は、図５に示すように、当該物流センターの周辺における幹線道路の大型車通行量の情報である。
「等時間移動圏情報」は、図６に示すように、例えば、当該物流センターから３０分間、４５分間、及び６０分間で移動できる範囲の情報である。
「所定のランドマーク地点までの所要時間」は、図７に示すように、例えば、当該物流センターから空港、港、駅などの所定のランドマーク地点までの所要時間の情報である。
【００２５】
なお、抽出装置１００は、物流センターの利用希望者の指示に基づき、図２に示すように、エリアＡ−ＩをエリアＡ−ＩＩのように拡張して、既存及び／又は新設予定の物流センターを抽出し、物流センターの周辺の交通道路環境情報などを図３のエリアＡ−ＩＩの欄に表示する。そして、抽出装置１００は、物流センターの利用希望者の指示に基づき、拡張したエリアＡ−ＩＩを図２に示すエリアＡ−ＩＩＩ及びエリアＡ−ＩＶのように更に拡張し、物流センターの周辺の交通道路環境情報などを図３のエリアＡ−ＩＩＩ及びエリアＡ−ＩＶの欄に表示する。このように、所定の範囲内において、所望の物流センターが存在しなければ、「所定の範囲」を拡張して物流センターの設置候補地点を抽出することを繰り返すことができる。
また、図３の表には、物流センターの利用希望者により入力された抽出条件の情報を追加してもよい。
【００２６】
画面上の表示に基づいて交通道路環境の良い最適な物流センターを選定した物流センターの利用希望者は仲介者などを介して物流センターの利用を約定した後、抽出装置１００は、物流センターの利用希望者により、本実施例では「業種、施設の規模、利用開始日、及び約定金額レンジ」の項目を含む契約情報が入力され更新する。
【００２７】
また、抽出装置１００は、所定の範囲内に既存及び／又は新設予定の物流センターが存在しない場合、物流センターの利用希望者により、物流センターが存在して欲しいと考えて入力した「指定地点」を物流センターの設置候補地点として記憶すると共に、走行情報に基づき、その物流センターの設置候補地点の周辺の交通道路環境情報を抽出して物流センターの設置候補地点の位置情報と対応付けて記憶し、第二の抽出処理において物流センターの設置候補地点を抽出する際に用いることができるようにする。
【００２８】
［第二の抽出処理についての詳細］
次に、第二の抽出処理についての詳細を、図８〜図１３を参照しながら説明する。
まず、第二の抽出処理では、物流センターの提供希望者により、物流センターの設置候補地点が存在して欲しいと考えた指定地点β、及び、指定地点βを中心とする矩形状の所定の範囲の辺長ｂを入力され、更に抽出条件としての交通道路環境情報の項目が抽出装置１００に入力される。
【００２９】
次に、抽出装置１００は、図８に示すように、物流センターの提供希望者により指定された所定の範囲（図８中エリアＢ−Ｉ）内において、第一の抽出処理で格納した物流センターの設置候補地点の位置情報に基づき、物流センターの設置候補地点を抽出すると共に、第一の抽出処理で格納した、設置候補地点の周辺の交通道路環境情報を、図９のエリアＢ−Ｉの欄に示すように画面上に表示する制御を行う。
具体的には、図８中エリアＢ−Ｉ内における抽出結果としては、１年前〜１ヶ月前に登録された設置候補地点が１つ存在し、既存の物流センターが１つ存在しており、抽出結果に対応するマーク（図８中の右側にある凡例に示す）を物流センターの位置情報に基づき、画面上に表示する制御を行う。既存施設及び新規予定施設のマークの横の数字は、物流センターの提供者を識別するものであり、施設設置候補地点のマークの横の数字は、物流センターの利用希望者を識別するものである。マークの横の数字の表示により、どのような物流センターの利用希望者がどの位置に物流センターを求めているのかについて容易に把握することができる。また、他の情報を参照することにより、求めている物流センターの詳細を把握することができる。
【００３０】
これらの抽出結果と、交通道路環境情報とをまとめたものを、図９のエリアＢ−Ｉの欄に表示する。図９に示すように、交通道路環境情報は、本実施例では、図３と同様に、周辺幹線道路の平均速度情報、周辺幹線道路の大型車通行量、等時間移動圏情報、所定のランドマーク地点までの所要時間の項目を含む。図９中の交通道路環境情報の欄の画像ファイルをクリックなどにより指定すると、図３と同様に、図４〜図７に示すような画像が表示される。
【００３１】
なお、抽出装置１００は、第一の抽出処理と同様に、図８に示すように、物流センターの提供希望者の指示に基づき、エリアＢ−ＩをエリアＢ−ＩＩのように拡張して、物流センターの設置候補地点を抽出し、設置候補地点の周辺の交通道路環境情報などの情報を図９のエリアＢ−ＩＩの欄に示すように表示する。そして、抽出装置１００は、物流センターの提供希望者の指示に基づき、拡張したエリアＢ−ＩＩをエリアＢ−ＩＩＩ及びエリアＢ−ＩＶのように更に拡張し、設置候補地点の周辺の交通道路環境情報などの情報を、図９のエリアＢ−ＩＩＩ及びエリアＢ−ＩＶの欄に示すように表示する。このように、所定の範囲内において、所望の物流センターの設置候補地点が存在しなければ、「所定の範囲」を拡張して物流センターの設置候補地点を抽出することを繰り返すことができる。
【００３２】
画面上の表示に基づいて交通道路環境の良い最適な物流センターの設置候補地点を選定した物流センターの提供希望者は仲介者などを介して用地の購入を約定した後、抽出装置１００は、物流センターの提供希望者により、「業種、施設の規模、提供開始時期、約定金額、及び竣工情報」の項目を含む契約情報が入力され更新する。
【００３３】
抽出装置１００は、所定の範囲内に物流センターの設置候補地点が存在しない場合、物流センターの提供希望者により、物流センターの設置候補地点が存在して欲しいと考えて入力した「指定地点」を物流センターの設置検討地点として記憶すると共に、走行情報に基づき、その物流センターの設置検討地点の周辺の交通道路環境情報を抽出して物流センターの設置検討地点の位置情報と対応付けて記憶し、第一の抽出処理において物流センターを抽出する際に用いることができるようにしてもよい。
【００３４】
次に、図８に示した物流センターの設置候補地点の抽出結果に至るまでの経過について説明する。
【００３５】
図１０は、３年前から２年前までに更新した物流センターの設置候補地点の抽出結果の地図表示の一例を示す説明図であり、物流センターの提供希望者に指定された所定の領域を４回拡張した抽出結果を表示している。
まず、前提として、本実施例では、当初及び１ヶ月に１回の頻度で、既存及び／又は新設予定の施設情報、施設設置候補地点の位置情報、及び、提供希望者により指定された位置の位置情報を更新する。
図１０に示すように、３年前から２年前までに更新した物流センターの設置候補地点は５箇所存在し、既存及び／又は新設予定の物流センターは存在していない。
【００３６】
図１１は、図１０に示した３年前から２年前までに更新した物流センターの設置候補地点の抽出結果に、２年前から１年前までに更新した物流センターの設置候補地点の抽出結果を更に加えたもの、即ち、３年前から１年前までに更新した物流センターの設置候補地点の抽出結果の地図表示の一例を示す説明図である。
図１１に示すように、図１０と比較すると、２年前から１年前までにおいては、新たに登録した物流センターの設置候補地点は４箇所追加されており、更に、物流センターが新たに２箇所設置され、新設予定の物流センターが１箇所存在する。なお、新設予定の物流センター（図１１中、新設予定施設マークの横の数字が「３」のもの）は、図１０に示した物流センターの設置候補地点（図１１中、設置候補地点マークの横の数字が「１」〜「４」のもの）の抽出結果に基づき、物流センターの提供希望者が決定したものである。
【００３７】
図１２は、図１１に示した３年前から１年前までに登録した施設設置候補地点の抽出結果に、１年前から１ヶ月前までに登録した施設設置候補地点の抽出結果を更に加えたもの、即ち、３年前から１ヶ月前までに更新した物流センターの施設設置候補地点の抽出結果の地図表示の一例を示す説明図である。
図１２に示すように、図１１と比較すると、１年前から１ヶ月前までにおいては、新たに登録された施設設置候補地点は３箇所追加されており、更に、物流センターが新たに１箇所設置され、新設予定の物流センターが１箇所存在する。なお、新設予定の物流センター（図１２中、新設予定施設マークの横の数字が「２」のもの）は、図１１に示した物流センターの設置候補地点（図１２中、設置候補地点マークの横の数字が「３」の２つ）の抽出結果に基づき、物流センターの提供希望者が決定したものである。
【００３８】
図１３は、図１２に示した３年前から１ヶ月前までに登録した施設設置候補地点の抽出結果に、１ヶ月前から現在までに登録した施設設置候補地点の抽出結果を更に加えたもの、即ち、３年前から現在までに更新した物流センターの施設設置候補地点の抽出結果の地図表示の一例を示す説明図である。
図１３に示すように、図１２と比較すると、１ヶ月前から現在までにおいては、新たに登録された施設設置候補地点は存在せず、更に、物流センターが新たに１箇所設置され、新設予定の物流センターが１箇所存在する。なお、新設予定の物流センターは、図１２に示した物流センターの設置候補地点の抽出結果に基づき、物流センターの提供希望者が決定したものである。
【００３９】
なお、本実施例では、抽出装置１００では、物流センターの利用希望者に対して第一の抽出処理を行い、物流センターの提供希望者に対して第二の抽出処理を行うようにしたが、これに限ることなく、物流センターの利用希望者又は提供希望者が仲介者に代行を依頼し、仲介者に対して第一の抽出処理又は第二の抽出処理を行うようにしてもよい。
【００４０】
次に、抽出システム１０が有する抽出装置１００及び走行情報取得端末装置３００における機能構成及びハードウェア構成についてそれぞれ説明する。
【００４１】
（抽出装置）
＜抽出装置の機能構成＞
図１４は、抽出装置１００の機能構成の一例を示す説明図である。図１４に示すように、抽出装置１００は、通信手段１１０と、記憶手段１２０と、制御手段１３０と、抽出手段１４０と、入力手段１５０と、出力手段１６０と、を有する。
【００４２】
通信手段１１０は、制御手段１３０の指示に基づき、車両４００に搭載される走行情報取得端末装置３００から走行情報を、ネットワーク２００を介してそれぞれ受信し、後述する走行情報データベース１２１に格納する。走行情報の詳細についても後述する。
以下、データベースをＤＢと称することもある。
【００４３】
記憶手段１２０は、走行情報ＤＢ１２１と、施設情報ＤＢ１２２と、施設設置候補地点情報ＤＢ１２３と、地図情報ＤＢ１２４と、を有する。通信手段１１０が受信した走行情報は、走行情報ＤＢ１２１に格納される。
【００４４】
図１５は、走行情報ＤＢ１２１に格納される走行情報の一例を示す説明図である。図１５に示すように、走行情報は、「車両ＩＤ、時刻、位置（経度、緯度）、速度」の項目を含む。本実施例では、これらの項目を１秒ごとに取得する。
【００４５】
「車両ＩＤ」は、車両を識別するための情報であり、予め設定される。
「時刻」及び「位置（経度、緯度）」は、走行情報取得端末装置３００に搭載されているＧＰＳ（Ｇｌｏｂａｌ  Ｐｏｓｉｔｉｏｎｉｎｇ  Ｓｙｓｔｅｍ）ユニットを用いて、取得される時間情報及び位置情報である。
「速度」は、時間情報と同期させ、速度センサを用いて車両の車軸から取得される速度情報である。
【００４６】
図１６は、施設情報ＤＢ１２２に格納される施設情報の構成の一例を示す説明図である。図１６に示すように、施設情報は、本実施例では、基本情報、契約情報、交通道路環境情報、第一の処理の情報、及び第二の処理の情報を含む。
【００４７】
図１７は、施設情報に含まれる基本情報の一例を示す説明図である。図１７に示すように、基本情報は、本実施例では「施設管理者名、施設名称、位置情報（経度、緯度）、提供開始日、提供終了予定日」の項目を含む。
【００４８】
「施設管理者名」は、当該物流センターを管理する提供者の名称の情報である。
「施設名称」は、当該物流センターの名称の情報である。
「位置情報（経度、緯度）」は、経度及び緯度により示される当該物流センターの位置情報である。
「提供開始日」は、当該物流センターの提供を開始した日の情報である。
「提供終了予定日」は、当該物流センターの提供の終了を予定している日の情報である。
【００４９】
図１８は、施設情報に含まれる契約情報の一例を示す説明図である。図１８に示すように、契約情報は、本実施例では図１７の「施設管理者名、施設名称」の項目を含み、「業種、利用規模、利用開始時期、約定金額、約定日」の項目を含む。
【００５０】
「業種」は、当該物流センターにおいて利用できる業種の情報である。
「利用規模」は、当該物流センターを利用する規模の情報である。
「利用開始時期」は、当該物流センターの利用を開始した日の情報である。
「約定金額」は、当該物流センターの利用について約定した金額の情報である。
「約定日」は、当該物流センターの利用を約定した日の情報である。
【００５１】
施設情報に含まれる交通道路環境情報については、上述した図４〜図７に示したとおりであるため、説明を省略する。
【００５２】
図１９は、施設情報に含まれる第一の処理の情報の一例を示す説明図である。図１９に示すように、第一の処理の情報は、物流センターの利用希望者が所望の物流センターを抽出する際に入力した情報を含み、本実施例では「指定地点α、所定の範囲の辺長ａ、抽出したときの流れ、業種、施設の規模、利用開始時期、抽出日」の項目を含む。
【００５３】
「指定地点α」は、当該物流センターを抽出した際に物流センターの利用希望者が入力した指定地点αの位置情報である。
「所定の範囲の辺長ａ」は、当該物流センターを抽出した際に物流センターの利用希望者が入力した所定の範囲の辺長ａの情報である。
「抽出したときの流れ」は、当該物流センターを抽出した際に物流センターの利用希望者が所定の範囲の拡張などを行った履歴の情報である。
「業種」は、当該物流センターで取り扱うことができる業種の情報である。
「施設の規模」は、当該物流センターの規模の情報である。
「利用開始時期」は、物流センターの利用希望者が当該物流センターの利用を開始したい時期である。
「抽出日」は、当該物流センターを抽出した日の情報である。
【００５４】
図２０は、施設情報に含まれる第二の処理の情報の一例を示す説明図である。図２０に示すように、第二の処理の情報は、物流センターの提供希望者が所望の物流センターの設置候補地点を抽出する際に入力した情報を含み、本実施例では「指定地点β、所定の範囲の辺長ｂ、抽出したときの流れ、抽出日」の項目を含む。
【００５５】
「指定地点β」は、当該物流センターの設置候補地点を抽出した際に物流センターの提供希望者が入力した指定地点βの位置情報である。
「所定の範囲の辺長ｂ」は、当該物流センターの提供希望者を抽出した際に物流センターの提供希望者が入力した所定の範囲の辺長ｂの情報である。
「抽出したときの流れ」は、当該物流センターの設置候補地点を抽出した際に物流センターの提供希望者が所定の範囲の拡張などを行った履歴の情報である。
「抽出日」は、当該物流センターの設置候補地点を抽出した日の情報である。
【００５６】
＜＜制御手段＞＞
制御手段１３０は、記憶手段１２０に記憶された各種プログラムを実行し、抽出装置１００全体を制御する。
制御手段１３０は、本実施例では、範囲設定部１３１と、表示制御部１３２とを有する。
【００５７】
−範囲設定部−
範囲設定部１３１は、本実施例では、物流センターの利用希望者又は提供希望者により指定された地点を中心として、物流センターの利用希望者又は提供希望者により入力された所定の範囲の辺長ａ又はｂの値に基づき、矩形状の所定の範囲を設定する。
また、範囲設定部１３１は、本実施例では、最初に設定した所定の範囲を第一の範囲とし、第一の範囲における抽出結果を第一の抽出結果とした場合、第一の抽出結果において施設又は施設設置候補地点が存在しないとき、第一の範囲を含み、かつ第一の範囲よりも広い第二の範囲を設定する。
なお、本実施例では、拡張する範囲は、検出した各エリアを含むように拡張したエリアを設定したが、これに限られることなく、拡張する大きさ、位置などは目的に応じて適宜設定できる。
【００５８】
−表示制御部−
表示制御部１３２は、第一の抽出処理において抽出した既存及び／又は新設予定の施設、又は第二の抽出処理において抽出した施設設置候補地点を、地図画像に表示する制御を行う。また、表示制御部１３２は、地図画像において、施設設置候補地点を抽出した時期に応じた色彩、模様、図形、記号、及び文字の少なくともいずれかにより表示する制御を行うようにしてもよい。
【００５９】
＜＜抽出手段＞＞
抽出手段１４０は、前述のように、第一の抽出処理と、第二の抽出処理と、を行う。
【００６０】
第一の抽出処理では、抽出システム１０は、物流センターの利用希望者に指定された地点を含む所定の範囲において、既存及び／又は新設予定の物流センターの位置情報を含む施設情報に基づき、既存及び／又は新設予定の物流センターを抽出すると共に、走行情報に基づいて生成した物流センターの周辺の交通道路環境情報を併せて抽出する。
第二の抽出処理では、抽出システム１０は、物流センターの提供希望者に指定された地点を含む所定の範囲において、第一の抽出処理で物流センターが存在しないと判定した所定の範囲の、物流センターの利用希望者に指定された地点を施設設置候補地点として抽出すると共に、走行情報に基づいて生成した施設設置候補地点の周辺の交通道路環境情報を併せて抽出する。
また、抽出手段１４０は、第一の抽出処理において、物流センターの利用希望者により、利用できる業種、物流センターの規模、及び、利用開始時期などの抽出条件を更に指定され、指定された地点の位置情報を抽出条件の情報と対応付けて格納し、第二の抽出処理において、抽出した施設設置候補地点の位置情報及び施設設置候補地点の周辺の交通道路環境情報と共に、物流センターの利用希望者により指定された抽出条件の情報を抽出する。
なお、本実施例では、抽出手段１４０は、制御手段１３０とは別の手段として示したが、これに限ることなく、抽出手段１４０は制御手段１３０に含まれるようにしてもよい。
【００６１】
入力手段１５０は、制御手段１３０の指示に基づき、物流センターの利用希望者、物流センターの提供希望者、又は仲介者から、指定された地点の経度及び緯度により示される座標、所定の範囲の辺長、抽出条件などを受け付けるほか、抽出装置１００に対する各種指示を受け付ける。
【００６２】
出力手段１６０は、制御手段１３０の表示制御部１３２の指示に基づき、抽出手段１４０による抽出結果を、物流センターの利用希望者、物流センターの提供希望者、又は仲介者に対して表示するほか、抽出装置１００の内部状態の表示を行う。
【００６３】
＜抽出装置のハードウェア構成＞
図２１は、本発明の一実施例に係る抽出装置のハードウェア構成を示す説明図である。
図２１に示すように、抽出装置１００は、通信手段１１０と、記憶手段１２０と、制御手段１３０と、抽出手段１４０と、入力手段１５０と、出力手段１６０と、ＲＯＭ（Ｒｅａｄ  Ｏｎｌｙ  Ｍｅｍｏｒｙ）１７０と、ＲＡＭ（Ｒａｎｄｏｍ  Ａｃｃｅｓｓ  Ｍｅｍｏｒｙ）１８０とを有する。なお、抽出装置１００の各手段は、バス１９０を介してそれぞれ通信可能に接続されている。
【００６４】
通信手段１１０は、制御手段１３０の指示に基づき、車両４００に搭載される走行情報取得端末装置３００から走行情報を受信する。
なお、本実施例では、通信手段１１０は、制御手段１３０の指示に基づき、走行情報を受信するとしたが、ネットワーク２００を介して各走行情報取得端末装置から走行情報を送信する指示を出力してもよい。また、走行情報の受信は、無線又は有線であってもよく、記憶媒体を介してでもよい。
【００６５】
記憶手段１２０は、各種情報を記憶できれば特に制限はなく、目的に応じて適宜選択することができ、例えば、ソリッドステートドライブ、ハードディスクドライブなどのほか、ＣＤ（Ｃｏｍｐａｃｔ  Ｄｉｓｃ）ドライブ、ＤＶＤ（Ｄｉｇｉｔａｌ  Ｖｅｒｓａｔｉｌｅ  Ｄｉｓｃ）ドライブ、ＢＤ（Ｂｌｕ−ｒａｙ（登録商標）  Ｄｉｓｃ）ドライブなどの可搬記憶装置であってもよく、ネットワーク上のコンピュータ群であるクラウドの一部であってもよい。
【００６６】
制御手段１３０は、例えば、ＣＰＵ（Ｃｅｎｔｒａｌ  Ｐｒｏｃｅｓｓｉｎｇ  Ｕｎｉｔ）などが挙げられる。ソフトウェアを実行するプロセッサはハードウェアである。
【００６７】
抽出手段１４０は、制御手段１３０と同様に、例えば、ＣＰＵなどが挙げられる。
【００６８】
入力手段１５０は、抽出装置１００に対する各種要求を受け付けることができれば特に制限はなく、適宜公知のものを用いることができ、例えば、キーボード、マウス、タッチパネル、マイクなどが挙げられる。
【００６９】
出力手段１６０は、特に制限はなく、適宜公知のものを用いることができ、例えば、ディスプレイ、スピーカーなどが挙げられる。
【００７０】
ＲＯＭ１７０は、記憶手段１２０に記憶された各種プログラムを制御手段１３０が実行するために必要な各種プログラム、データ等を記憶する。具体的には、ＲＯＭ１６０は、ＢＩＯＳ（Ｂａｓｉｃ  Ｉｎｐｕｔ／Ｏｕｔｐｕｔ  Ｓｙｓｔｅｍ）、ＥＦＩ（Ｅｘｔｅｎｓｉｂｌｅ  Ｆｉｒｍｗａｒｅ  Ｉｎｔｅｒｆａｃｅ）等のブートプログラムなどを記憶する。
【００７１】
ＲＡＭ１８０は、主記憶装置であり、記憶手段１２０に記憶された各種プログラムが制御手段１３０により実行される際に展開される作業範囲として機能する。
ＲＡＭ１８０としては、例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）などが挙げられる。
【００７２】
次に、図１に戻り、抽出装置１００にネットワーク２００を介して通信可能に接続されている走行情報取得端末装置３００ａ、３００ｂ、３００ｃ、及び各走行情報取得端末を搭載する車両４００ａ、４００ｂ、４００ｃの詳細について説明する。
なお、走行情報取得端末装置３００ａ、３００ｂ、３００ｃは、機能構成及びハードウェア構成についてそれぞれ同様であることから、「走行情報取得端末装置３００」と称してまとめて説明する。また、車両４００ａ、４００ｂ、４００ｃは、機能構成及びハードウェア構成についてそれぞれ同様であることから、「車両４００」と称してまとめて説明する。更に、走行情報取得端末３００を搭載する車両４００は多いほうが好ましく、抽出装置１００は複数であってもよい。
【００７３】
走行情報取得端末装置３００としては、本実施例では、トラックなどの大型車に搭載されるデジタルタコグラフ（「デジタコ」と称することもある）であり、車両４００の速度、位置及び時刻の情報を含む走行情報を取得する取得手段と、取得手段が取得した走行情報を抽出装置に送信する通信手段と、を有する。
取得手段は、ＧＰＳユニットと、車両の車軸に搭載された速度センサと、を有する。取得手段は、ＧＰＳユニット及び速度センサを同期させて取得した位置の情報及び速度の情報を、同期させた時刻の情報と対応付けて走行情報とする。
通信手段は、取得手段が取得した走行情報を、ネットワーク２００を介して抽出装置１００に送信する。
【００７４】
車両４００としては、例えば、商用トラック等の商用車が挙げられるが、乗用車などでもよい。また、車両の台数としては、特に制限はなく、目的に応じて適宜選択することができ、多いほうが好ましい。
【００７５】
図２２は、物流センターの利用希望者に対して、抽出装置１００が物流センターを抽出し、画面上に抽出結果を表示する制御を行う流れの一例を示すフローチャートである。抽出装置１００が物流センターを抽出し、画面上に抽出結果を表示する制御を行うフローを、図１４を参照しながら図２２に示すフローチャートにしたがって説明する。
【００７６】
ステップＳ１０１では、制御手段１３０は、物流センターの利用希望者により入力手段１５０を用いて入力された「指定地点α、所定の範囲の辺長ａ、規模、利用開始時期」の抽出条件の指定を受け付け、処理をＳ１０２に移行させる。なお、所定の範囲の辺長ａは、物流センターの利用希望者により「５ｋｍ」と入力された。
【００７７】
ステップＳ１０２では、範囲設定部１３１は、所定の範囲の拡張回数Ｎに対して０を入力し、処理をＳ１０３に移行させる。
【００７８】
ステップＳ１０３では、制御手段１３０は、物流センターの利用希望者に指定された指定地点αを中心に５ｋｍ四方とした初期の所定の範囲を設定し、物流センターの位置情報を含む施設情報に基づき、既存及び／又は新設予定の物流センターを抽出し、処理をＳ１０４に移行させる。
【００７９】
ステップＳ１０４では、制御手段１３０は、物流センターが存在するか否かを判定する。制御手段１３０は、物流センターが存在すると判定すると、処理をＳ１０８に移行させ、物流センターが存在しないと判定すると、処理をＳ１０５に移行させる。
【００８０】
ステップＳ１０５では、制御手段１３０は、所定の範囲の拡張回数Ｎが０より大きいか否かを判定する。制御手段１３０は、Ｎが０より大きいと判定すると処理をＳ１０７に移行させ、Ｎが０より大きくないと判定すると処理をＳ１０６に移行させる。
【００８１】
ステップＳ１０６では、抽出手段１４０は、指定地点αの位置情報を格納（記憶）すると共に、車両の速度、位置及び時刻の情報を含む走行情報に基づき、指定された地点の周辺の交通道路環境情報を生成して抽出し、抽出した交通道路環境情報を格納すると、処理をＳ１０７に移行させる。
【００８２】
ステップＳ１０７では、制御手段１３０は、物流センターの利用希望者に対し、処理を終了させるか否かを判断させる。制御手段１３０は、物流センターの利用希望者により、入力手段などを用いて処理を終了するボタンを画面上で押下されると本処理を終了させ、処理を継続するボタンを画面上で押下されると処理をＳ１１０に移行させる。
【００８３】
ステップＳ１０８では、抽出手段１４０は、走行情報に基づき、抽出した物流センターの周辺の交通道路環境情報を生成して抽出すると処理をＳ１０９に移行させる。
【００８４】
ステップＳ１０９では、表示制御部１３２は、抽出した物流センター及びその周辺の交通道路環境情報を、出力手段１６０であるディスプレイに地図画像に表示する制御を行い、処理をＳ１０７に移行させる。
【００８５】
ステップＳ１１０では、制御手段１３０は、物流センターの利用希望者に対し、所定の範囲を拡張させるか否かを判断させる。制御手段１３０は、物流センターの利用希望者により、入力手段などを用いて所定の範囲を拡張するボタンを画面上で押下されると処理をＳ１１１に移行させ、処理を終了するボタンを画面上で押下されると本処理を終了させる。
【００８６】
ステップＳ１１１では、制御手段１３０は、所定の範囲の拡張回数Ｎに１を加え、処理をＳ１１２に移行させる。
【００８７】
ステップＳ１１２では、範囲設定部１３１は、所定の範囲の拡張回数Ｎに、物流センターの利用希望者により指定された所定の範囲の辺長ａを乗じて、拡張した所定の範囲を設定すると処理をＳ１０３に戻す。
【００８８】
図２３は、物流センターの提供希望者に対して、抽出装置１００が物流センターの施設設置候補地点を抽出し、画面上に抽出結果を表示する制御を行う流れの一例を示すフローチャートである。抽出装置１００が物流センターの施設設置候補地点を抽出し、画面上に抽出結果を表示する制御を行うフローを、図１４を参照しながら図２３に示すフローチャートにしたがって説明する。
【００８９】
ステップＳ２０１では、制御手段１３０は、物流センターの提供希望者により入力手段１５０を用いて入力された「指定地点β、所定の範囲の辺長ｂ、規模、利用開始時期」の抽出条件の指定を受け付け、処理をＳ２０２に移行させる。なお、所定の範囲の辺長ｂは、物流センターの提供希望者により「１０ｋｍ」と入力された。
【００９０】
ステップＳ２０２では、範囲設定部１３１は、所定の範囲の拡張回数Ｎに対して０を入力し、処理をＳ２０３に移行させる。
【００９１】
ステップＳ２０３では、制御手段１３０は、物流センターの提供希望者に指定された指定地点βを中心に１０ｋｍ四方とした初期の所定の範囲を設定し、施設設置候補地点の位置情報を含む施設情報に基づき、施設設置候補地点を抽出し、処理をＳ２０４に移行させる。
【００９２】
ステップＳ２０４では、制御手段１３０は、施設設置候補地点が存在するか否かを判定する。制御手段１３０は、施設設置候補地点が存在すると判定すると、処理をＳ２０８に移行させ、施設設置候補地点が存在しないと判定すると、処理をＳ２０５に移行させる。
【００９３】
ステップＳ２０５では、制御手段１３０は、所定の範囲の拡張回数Ｎが０より大きいか否かを判定する。制御手段１３０は、Ｎが０より大きいと判定すると処理をＳ２０７に移行させ、Ｎが０より大きくないと判定すると処理をＳ２０６に移行させる。
【００９４】
ステップＳ２０６では、抽出手段１４０は、指定地点βの位置情報を記憶すると共に、車両の速度、位置及び時刻の情報を含む走行情報に基づき、指定された地点の周辺の交通道路環境情報を生成して抽出すると、処理をＳ２０７に移行させる。
【００９５】
ステップＳ２０７では、制御手段１３０は、物流センターの提供希望者に対し、処理を終了させるか否かを判断させる。制御手段１３０は、物流センターの提供希望者により、入力手段などを用いて処理を終了するボタンを画面上で押下されると本処理を終了させ、処理を継続するボタンを画面上で押下されると処理をＳ２１０に移行させる。
【００９６】
ステップＳ２０８では、抽出手段１４０は、走行情報に基づき、抽出した施設設置候補地点の周辺の交通道路環境情報を生成して抽出すると処理をＳ２０９に移行させる。
【００９７】
ステップＳ２０９では、表示制御部１３２は、抽出した施設設置候補地点及びその周辺の交通道路環境情報を、出力手段１６０であるディスプレイに地図画像に表示する制御を行い、処理をＳ２０７に移行させる。
【００９８】
ステップＳ２１０では、制御手段１３０は、物流センターの提供希望者に対し、所定の範囲を拡張させるか否かを判断させる。制御手段１３０は、物流センターの提供希望者により、入力手段などを用いて所定の範囲を拡張するボタンを画面上で押下されると処理をＳ２１１に移行させ、処理を終了するボタンを画面上で押下されると本処理を終了させる。
【００９９】
ステップＳ２１１では、制御手段１３０は、所定の範囲の拡張回数Ｎに１を加え、処理をＳ２１２に移行させる。
【０１００】
ステップＳ２１２では、範囲設定部１３１は、所定の範囲の拡張回数Ｎに、物流センターの提供希望者により指定された所定の範囲の辺長ｂを乗じて、拡張した所定の範囲を設定すると処理をＳ２０３に戻す。
【０１０１】
本実施例では、施設として物流センター又は物流センターの設置候補地点を抽出するが、これに限られることなく、例えば、会社の事業所や工場、ショッピングセンター等の商業施設、などの設置候補地点を抽出するようにしてもよい。
【０１０２】
以上の実施形態に関し、更に以下の付記を開示する。
（付記１）
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲の、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、
をコンピュータに実行させることを特徴とする抽出プログラム。
（付記２）
前記交通道路環境情報が、前記車両の平均速度情報、前記車両の通行量情報、前記車両の等時間移動圏情報、及び、前記施設又は前記施設設置候補地点から所定のランドマーク地点までの所要時間のうち少なくともいずれかを含む付記１に記載の抽出プログラム。
（付記３）
前記平均速度情報、前記通行量情報、前記等時間移動圏情報、及び、前記所定のランドマーク地点までの所要時間のうち少なくともいずれかが、曜日別、日別、時間帯別、及び上下車線別の少なくともいずれかに分類される付記２に記載の抽出プログラム。
（付記４）
前記交通道路環境情報が、道路に関する情報を更に含む付記１から３のいずれかに記載の抽出プログラム。
（付記５）
前記道路に関する情報が、道路の平坦性情報、道路のひび割れ情報、道路の路面下の空洞情報、道路に設置された付属物情報、道路の路面下のインフラ設備情報、道路標識情報、及び道路の補修履歴情報の少なくともいずれかである付記４に記載の抽出プログラム。
（付記６）
前記第一の抽出処理において、前記第一の利用者により抽出条件を更に指定され、前記指定された地点の位置情報を前記抽出条件の情報と対応付けて格納し、
前記第二の抽出処理において、抽出した前記施設設置候補地点の位置情報及び前記施設設置候補地点の周辺の前記交通道路環境情報と共に、前記第一の利用者により指定された前記抽出条件の情報を抽出する付記１から５のいずれかに記載の抽出プログラム。
（付記７）
前記抽出条件が、利用できる業種、前記施設の規模、及び、利用開始時期のうち少なくともいずれかを含む付記６に記載の抽出プログラム。
（付記８）
前記所定の範囲を第一の範囲とし、前記第一の範囲における抽出結果を第一の抽出結果とした場合、前記第一の抽出結果において前記施設が存在しないとき、前記第一の範囲を含み、かつ前記第一の範囲よりも広い第二の範囲を設定して、前記第二の範囲において前記施設を抽出する付記１から７のいずれかに記載の抽出プログラム。
（付記９）
前記第一の抽出処理において抽出した既存及び／又は新設予定の前記施設、又は前記第二の抽出処理において抽出した前記施設設置候補地点を、地図画像に表示する制御を行う付記１から８のいずれかに記載の抽出プログラム。
（付記１０）
前記地図画像において、前記施設設置候補地点を抽出した時期に応じた色彩、模様、図形、記号、及び文字の少なくともいずれかにより表示する制御を行う付記９に記載の抽出プログラム。
（付記１１）
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づき、抽出した前記施設の周辺の交通道路環境情報を併せて抽出する第一の抽出工程と、
第二の利用者に指定された地点を含む所定の範囲において、前記第一の抽出工程で前記施設が存在しないと判定した前記所定の範囲で、前記第一の利用者に前記指定された地点を施設設置候補地点として抽出すると共に、
前記走行情報に基づき、生成した前記施設設置候補地点の周辺の前記交通道路環境情報を併せて抽出する第二の抽出工程と、
を含むことを特徴とする抽出方法。
（付記１２）
車両の速度、位置及び時刻の情報を含む走行情報を取得する取得手段と、
前記取得手段が取得した前記走行情報を情報処理装置に送信する通信手段と、
を有する走行情報取得端末装置と、
第一の利用者に指定された地点を含む所定の範囲において、既存及び／又は新設予定の施設の位置情報を含む施設情報に基づき、既存及び／又は新設予定の前記施設を抽出すると共に、
前記走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲で、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、を行う抽出装置と、
を有することを特徴とする抽出システム。
（付記１３）
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出する第一の抽出処理と、
第二の利用者に指定された地点を含む所定の範囲において、前記第一の抽出処理で前記施設が存在しないと判定した前記所定の範囲で、前記第一の利用者に前記指定された地点を施設設置候補地点として抽出すると共に、
前記走行情報に基づいて生成した前記施設設置候補地点の周辺の前記交通道路環境情報を併せて抽出する第二の抽出処理と、
を行う抽出手段を有することを特徴とする抽出装置。
（付記１４）
第一の利用者に指定された地点を含む所定の範囲において、既存及び／又は新設予定の施設の位置情報を含む施設情報に基づき、既存及び／又は新設予定の前記施設を抽出すると共に、
車両の速度、位置及び時刻の情報を含む走行情報に基づいて生成した前記施設の周辺の交通道路環境情報を併せて抽出して格納する、
処理をコンピュータに実行させることを特徴とする施設情報格納プログラム。
（付記１５）
第二の利用者に指定された地点を含む所定の範囲において、第一の利用者に指定された地点を含む所定の範囲で既存及び／又は新設予定の施設の位置情報を含む施設情報に基づき、既存及び／又は新設予定の前記施設を抽出した際に前記施設が存在しないと判定した前記所定の範囲の、前記第一の利用者に前記指定された地点を施設設置候補地点として抽出すると共に、
車両の速度、位置及び時刻の情報を含む走行情報に基づいて生成した前記施設設置候補地点の周辺の交通道路環境情報を併せて抽出して格納する、
処理をコンピュータに実行させることを特徴とする施設設置候補地点情報格納プログラム。
【符号の説明】
【０１０３】
１０    抽出システム
１００    抽出装置（情報処理装置）
１１０    通信手段
１２０    記憶手段
１３０    制御手段
１３１    範囲設定部
１３２    表示制御部
１４０    抽出手段
１５０    入力手段
１６０    出力手段
３００    走行情報取得端末装置
４００    車両
【図１】
2018142141.tif 000003
【図２】
2018142141.tif 000004
【図３】
2018142141.tif 000005
【図４】
2018142141.tif 000006
【図５】
2018142141.tif 000007
【図６】
2018142141.tif 000008
【図７】
2018142141.tif 000009
【図８】
2018142141.tif 000010
【図９】
2018142141.tif 000011
【図１０】
2018142141.tif 000012
【図１１】
2018142141.tif 000013
【図１２】
2018142141.tif 000014
【図１３】
2018142141.tif 000015
【図１４】
2018142141.tif 000016
【図１５】
2018142141.tif 000017
【図１６】
2018142141.tif 000018
【図１７】
2018142141.tif 000019
【図１８】
2018142141.tif 000020
【図１９】
2018142141.tif 000021
【図２０】
2018142141.tif 000022
【図２１】
2018142141.tif 000023
【図２２】
2018142141.tif 000024
【図２３】
2018142141.tif 000025